(57)【特許請求の範囲】
【請求項１】
ノート型パソコン等の可搬式パソコンを設置面上で任意の方向にスライドして移動可能とした可搬式パソコンの支持台において、
該支持台が、可搬式パソコンを載置する基板部と、該基板部の底面に形成された受部とを合成樹脂で一体に成形しており、
前記受部が、開口が回転子が抜けでないように回転子よりも小さく設定されて回転子を着脱可能に軸受けする凹窩部と、該凹窩部の開口端の周縁に沿って水平で略環状に延びて摺動マットを取付可能なフランジ部とを有しており、
前記凹窩部が回転子を回転可能に軸受けする内壁を有しており、該内壁に前記基板部の上面に開口する窓孔を形成して、該窓孔から棒などを挿入して前記回転子を凹窩部から押し出しうるようになっており、
設置面に応じて、回転子または摺動マットのいずれかを選択して凹窩部またはフランジ部に取り付け、上記パソコンが設置面上をスムーズにスライドしうるようにしたことを特徴とする可搬式パソコンの支持台。
【請求項２】
回転子がボールまたはローラからなっていることを特徴とする請求項１に記載の可搬式パソコンの支持台。
【請求項３】
受部が、基板部の底面で四隅に形成されており、各受部にボールが回転自在に嵌合していることを特徴とする請求項２に記載の可搬式パソコンの支持台。
【請求項４】
受部が、基板部の底面で前方中央に前方受部を１つ設け、後方の隅部に後方受部を２つ設けており、
前方受部にボールが軸受けされており、後方受部にローラが軸受けされていることを特徴とする請求項２に記載の可搬式パソコンの支持台。
【発明の詳細な説明】
【０００１】
【発明の属する技術分野】
この発明は、机などの設置面上で容易にスライドして移動することができるノート型パソコン等の可搬型パソコンの支持台に関する。
【０００２】
【従来の技術】
机などの設置面上にノート型パソコンを置いて作業を行う場合に、該パソコンをスライドしてスムーズに移動することができれば、上記設置面の有効利用を図ることができる。
そこで、実開平６−５９９１９号のノート型パソコンの支持台では、可搬型パソコン本体底部に支持ボールを設けて自由方向に移動しうる構成が開示されている。
また、実用新案登録第３０５０７１４号のＯＡ機器用下敷きマットにおいては、ノート型パソコンなどのＯＡ機器に下敷きマットを敷いて水平移動を容易ならしめる構成が開示されている。
しかしながら、いずれの構成も汎用性が無いため、可搬性を有するノート型パソコンの場合に、設置面の状況に対応してスライドを容易に行わせることができない欠点がある。
【０００３】
【発明が解決しようとする課題】
この発明は、上記事情に鑑みて創案されたものであって、その主たる課題は、設置面の状況に応じて、スライド手段として最適のボールや摺動マットを選択して使用することができるノート型パソコン等の可搬式パソコンの支持台を提供することにある。
【０００４】
【課題を解決するための手段】
上記課題を解決するために、請求項１の発明では、
ノート型パソコン等の可搬式パソコンを設置面上で任意の方向にスライドして移動可能とした可搬式パソコンの支持台において、
該支持台が、可搬式パソコンを載置する基板部と、該基板部の底面に形成された受部とを合成樹脂で一体に成形しており、
前記受部が、開口が回転子が抜けでないように回転子よりも小さく設定されて回転子を着脱可能に軸受けする凹窩部と、該凹窩部の開口端の周縁に沿って水平で略環状に延びて摺動マットを取付可能なフランジ部とを有しており、
前記凹窩部が回転子を回転可能に軸受けする内壁を有しており、該内壁に前記基板部の上面に開口する窓孔を形成して、該窓孔から棒などを挿入して前記回転子を凹窩部から押し出しうるようになっており、
凹窩部に取り付けられた回転子を、設置面に応じて、回転子または摺動マットのいずれかを選択して、回転子は凹窩部に、摺動マットはフランジ部に取り付け、上記パソコンが設置面上をスムーズにスライドしうる、という技術的手段を講じている。
また、請求項２の発明では、回転子がボールまたはローラからなっている、という技術的手段を講じている。
また、請求項３の発明では、
受部が、基板部の底面で四隅に形成されており、各受部にボールが回転自在に嵌合している、という技術的手段を講じている。
更に、請求項４の発明では、
受部が、基板部の底面で前方中央に前方受部を１つ設け、後方の隅部に後方受部を２つ設けており、
前方受部にボールが軸受けされており、後方受部にローラが軸受けされている、という技術的手段を講じている。
【０００５】
【発明の実施の形態】
以下に、この発明の可搬型パソコンの支持台をノート型パソコンに適用した場合の好適実施例について図面を参照しながら説明する。
図１に示す第１実施例の支持台は、ノート型パソコン１０を載置する支持台１の底面に設けられた場合を示す。
【０００６】
支持台１は、図１〜３に示すように、合成樹脂で一体に成形されており、ノート型パソコンを載置する基板部２と、該基板部２の底面で四隅に形成された前後に各一対の受部３，４とを一体に形成した構造からなっている。
基板部２は、上面に滑り止め用のゴムシート（図示せず）を敷設しており、また中央には、シールまたはプレート等の表示部２１を入れ子状に設けて上面を同一面上に設定している。
【０００７】
なお、上記表示部２１にはロゴや、対応可能機種などを表示することができる。  また、外周に沿って環状のリブ２２を突設して、ノート型パソコン１０の位置決め用としている。
これらの構成は適宜公知の構成を用いることができ、上記実施例に限定されないこと勿論である。
【０００８】
次ぎに、基板部２の底面には、補強リブ２３がクロス状に突設されると共に、一対の前方受部３と後方受部４とが基板部２の四隅に形成されており、この基板部２の脚部を兼ねている。
本実施例では、パソコンの操作時に手前側となる前方受部３，３よりも後方受部４，４の方が高くなるように長さが設定されているので、基板部２は後方に向かって漸次高くなる傾斜姿勢に支持されている。
【０００９】
この前方受部３および後方受部４は、筒形からなっており、底部中央に後述のボール８の直径よりも小径に設定された開口５ａを有する凹窩部５が形成されている。
該凹窩部５は、ボール８の半分を超えた部分を嵌合して該ボール８を回転自在に軸受けする略球面状の内周面を有する内壁５ｂを有している。
そして、図示例の場合、上記内壁５ｂに窓孔６を設けてポール８との接触面積を少なくして負荷を軽減すると共に、嵌合したボール８を凹窩部５から押し出す際に棒などを挿入する孔となっている。
【００１０】
更に、上記受部３，４には上記凹窩部５の開口５ａの端縁に沿って略環状に延びてドーナツ形状となるフランジ部７が形成されている。
このフランジ部７は、上記受部３，４の全ての面が実質的に同一面上となるように設定されており、水平な机などの設置面２５に隙間無く接するようになっている。
そして、上記フランジ部７には、図５に示すように摺動マット９を接着で貼り付けるなどして取り付けられる。
【００１１】
この摺動マット９は、例えばドーナツ状のシートからなっており、両面接着テープの下面に円滑性を有する合成樹脂シートを接着した構成からなっている。
この摺動マット９は、パソコン１０の底板部の素材や支持台１の素材よりも机などの設置面２５に対して摩擦が少なくスムーズに摺動可能な素材であれば、合成樹脂に限らず、金属や、石材、木材、紙等でもよく、公知の種々構成を用いることができる。
【００１２】
上記構成からなっているので、使用者は、パソコン１０を置く机などの設置面２５の素材に応じて、ボールまたは摺動マットを選択して、そのいずれかを前記受部３，４に取り付けることができる（図４、図５参照）。
また、図６に示すように、摺動マット９を取り付けておき、必要に応じてボール８を着脱する構成としてもよい。
【００１３】
この場合、摺動マット９の厚みを、受部３，４から突出するボール８の高さよりも短く設定しておけばよい。
そうすればボール８の下端は常に摺動マット９より下方位置にあるので、摺動マット９と共にボール８を取り付けてもボール８だけを作用させることができる。
【００１４】
なお、この発明で摺動マット９は、図示例の場合、フランジ部７に沿って中央に孔を設けたドーナツ形状としたが、中央に孔を設けず、凹寓部５を塞ぐようにしてもよい。
また、フランジ部７も円形に限らず、楕円形や多角形その他の任意の形状であってもよい。
【００１５】
上記構成では、受部の凹窩部５にボール８を取り付けた場合を例示したが、ボール８に代えてローラ８’その他の回転子を用いることができる。
図７および図８に示す第２実施例の支持台では、支持台１の底面で前方中央に前方受部３を１つ設け、後方の隅部に後方受部４’を２つ設けている。
そして、前方受部３は前記実施例と同様の構造からなっている。
後方受部４’は、凹窩部５’が断面略半円形状で縦に延びる略半筒形状からなっており、ローラ８’を圧入して軸受けしうるようになっている。
その他の構成は前記実施例と同様であるので説明を省略する。
【００１６】
従って、前方受部３のボールで支持台１の向きを変え、ローラ８’で直線方向にスライドすることができる。
この場合に前方受部３も後方受部４と同様の構成としてローラ８’を軸支させてよく、支持台１の前方をやや浮かせる等して向きを変え、ローラ８’で直線方向にスライドさせるようにしてもよい。
また、図示しないが、ローラの軸受部分を支持台１に対して旋回可能な構造にしてローラ８’を任意の方向に旋回しうるようにしてもよい。
【００１７】
更に、上記実施例では、支持台として、ノート型パソコン１０とは別体の支持台１を用いた場合を例示したが、上記構成は、図９に示すように、ノート型パソコン１０の底板部１１に直接に受部３，４を形成するものであってもよい。
この受部３，４の構造は前記実施例と同様であって、ボール８または摺動マット９をいずれか選択して取付け、あるいは両方を取り付けるようにしてもよく、この場合も前記と同様の効果を奏することができる。
【００１８】
【発明の効果】
この発明は上記のような構成からなっているので、ノート型パソコン等の可搬式パソコンの設置面の状況に応じて、スライド手段としてボールやローラーなどの回転子または摺動マットを選択して底部に取り付けて使用するので、前記可搬式パソコンを机などの設置面上でスムーズに摺動して、所望方向へ移動させることができ、作業能率の向上や設置スペースの有効利用を図ることができる。
【図面の簡単な説明】
【図１】  第１実施例のポールを取り付けた支持台を示す平面図である。
【図２】  支持台の底面図である。
【図３】  支持台の側方から見た断面図である。
【図４】  支持台の側面図である。
【図５】  摺動マットを取り付けた支持台の側面図である。
【図６】  摺動マットとボールの取付位置を説明する支持台の側断面図である。
【図７】  第２実施例のボールとローラを用いた支持台の平面図である。
【図８】  同支持台の側方から見た断面図である
【図９】  パソコンの底板部にこの発明の支持台を設けた場合の実施例を示す側面
図である。
【符号の説明】
１    支持台
２    基板部
３    前方受部
４    後方受部
５    凹窩部
６    窓孔
７    フランジ部
８    ボール
９    摺動マット
１０  ノート型パソコン
１１  底板部
２５  設置面
【図１】
0003834174.tif 000002
【図２】
0003834174.tif 000003
【図３】
0003834174.tif 000004
【図４】
0003834174.tif 000005
【図５】
0003834174.tif 000006
【図６】
0003834174.tif 000007
【図７】
0003834174.tif 000008
【図８】
0003834174.tif 000009
【図９】
0003834174.tif 000010